(57)【要約】【課題】精算装置の配置に従ってトレイガイドの取り付け位置を個々に決める煩わしさを無くして取り付けに無駄な労力を必要としない精算装置を提供する。【解決手段】カウンタテーブル１１０の表面には、トレイの挿入方向１１から食器が載ったトレイ（図示せず）がトレイ載置部１１５に載置された場合に、前記トレイが当接する先端から前記トレイの略半分に渡りトレイ形状の凹部が形成されて、トレイガイド１１１の役目を果たすようにしている。カウンタテーブル１１０のトレイ載置部１１５を台形形状の山にしかつトレイ形状から除外される部分に傾斜部１１７を設けるようにし、食器が載ったトレイからこぼれた水分などを傾斜部１１７に沿って外部に排出し易いようする。【選択図】　　図１
2004110660.tif 000002
【特許請求の範囲】
【請求項１】
高周波を用いた個別識別手段を有する食器と、前記食器を載せたトレイを載せるカウンタテーブルと、前記カウンタテーブルに載せられた前記食器の前記個別識別手段から識別情報を読み出すセンサと、前記センサにより読み出された信号から前記トレイ単位に一括して料金の計算処理を行う読取制御装置と、前記読取制御装置により計算された料金を表示するＰＯＳ端末装置とを備える精算装置において、
前記カウンタテーブルに前記トレイの形状に合致する凹部が形成され、前記凹部が前記トレイを前記センサの読み取り範囲内に定置することを特徴とする精算装置。
【請求項２】
前記凹部の一部に、前記センサの検出範囲に前記トレイが入ったことを検出するトレイ検出センサを装着したことを特徴とする請求項１に記載の精算装置。
【請求項３】
前記凹部の前記トレイを載置する部位を台形の山形状にしてトレイ載置部とするとともに、前記トレイ載置部から外れる部位に傾斜部を設けたことを特徴とする請求項１に記載の精算装置。
【請求項４】
高周波を用いた個別識別手段を有する食器と、前記食器を載せたトレイを載せるカウンタテーブルと、前記カウンタテーブルに載せられた前記食器の前記個別識別手段から識別情報を読み出すセンサと、前記センサにより読み出された信号から前記トレイ単位に一括して料金の計算処理を行う読取制御装置と、前記読取制御装置により計算された料金を表示するＰＯＳ端末装置とを備える精算装置において、
前記カウンタテーブル上に載置され、前記前記ＰＯＳ端末装置が載置される天板を支えるトレイガイドが一体化された支柱を設け、前記支柱の両端がハの字形にされていることを特徴とする精算装置。
【請求項５】
前記トレイガイドが一体化された支柱の前記トレイガイド部に、トレイを検出するトレイ検出センサを装着したことを特徴とする請求項４に記載の精算装置。
【請求項６】
高周波を用いた個別識別手段を有する食器と、前記食器を載せたトレイを載せるカウンタテーブルと、前記カウンタテーブルに載せられた前記食器の前記個別識別手段から識別情報を読み出すセンサと、前記センサにより読み出された信号から前記トレイ単位に一括して料金の計算処理を行う読取制御装置と、前記読取制御装置により計算された料金を表示するＰＯＳ端末装置とを備える精算装置において、
前記センサおよび前記読取制御装置を筐体内部の棚に載置して収容する本体部と、前記カウンタテーブル上に載置され、前記前記ＰＯＳ端末装置が載置される天板を支えるトレイガイドが一体化された支柱とを設け、
前記センサおよび前記読取制御装置を載置した前記棚に冷気を案内する案内板を備えるとともに、前記本体部の下部、前記カウンタテーブルおよび前記支柱に通風口を設けて、前記通風口を介して対流を誘導することを特徴とする精算装置。
【請求項７】
高周波を用いた個別識別手段を有する食器と、前記食器を載せたトレイを載せるカウンタテーブルと、前記カウンタテーブルに載せられた前記食器の前記個別識別手段から識別情報を読み出すセンサと、前記センサにより読み出された信号から前記トレイ単位に一括して料金の計算処理を行う読取制御装置と、前記読取制御装置により計算された料金を表示するＰＯＳ端末装置とを備える精算装置において、
前記カウンタテーブルに前記トレイの形状に合わせた凹部が形成され、前記凹部がトレイガイドとして機能するようにされ、さらに、
前記センサおよび前記読取制御装置を筐体内部の棚に載置して収容する本体部と、前記凹部が形成されたカウンタテーブル上に載置され、前記前記ＰＯＳ端末装置が載置される天板を支える支柱とを設け、
前記センサおよび前記読取制御装置を載置した前記棚に冷気を案内する案内板を備えるとともに、前記本体部の下部、前記カウンタテーブルおよび前記支柱に通風口を設けて、前記通風口を介して対流を誘導することを特徴とする精算装置。
【発明の詳細な説明】
【０００１】
【発明の属する技術分野】
本発明は、ＲＦＩＤタグを付した食器をトレイに載せてカウンタテーブルに移動させると、トレイ単位に支払い料金を読み出して一括精算することができるようにした食堂の料金精算システムにおける精算装置に関するものである。
【０００２】
【従来の技術】
図７は、本出願人によって出願され公開された特開２０００−２８５３２３号公報に記載された従来の料金精算システムの構成配置例を示す斜視図である。図７に示されるように料金精算システムは、ダストユニット体１と精算ユニット体２とから構成されている。
【０００３】
精算ユニット体２は、ユニット本体部１２１と、ユニット本体部１２１の上部に設けられたカウンタテーブル１２２と、カウンタテーブル１２２上に配設されたターミナル設置台１２３と、ターミナル設置台１２３上に載置される表示手段を有するＰＯＳ端末装置３０とを有している。
【０００４】
ユニット本体部１２１は、ボックス状に形成されており、内部には、トレイ単位に一括して料金計算を行う料金計算手段を含む各種の制御回路が格納されている。また、前面には観音開きされるドアが設けられ、そのドアを開けてメンテナンス等を行う。
【０００５】
ユニット本体部１２１の上部に設けられているカウンタテーブル１２２は、リーダ部１２２ａとカウンタ部１２２ｂとで構成され、ユニット本体部１２１とは別にユニット化されている。カウンタ部１２２ｂは、カウンタテーブル１２２のハウジングの一部で構成されており、リーダ部１２２ａの外周を保持している。リーダ部１２２ａは、上側に大理石を配し、その大理石の下側に板状のセンサを配してユニット化されている。
【０００６】
また、リーダ部１２２ａの上面には、トレイ１０１を位置決めするための位置決め突起（トレイガイド）２９ａ、２９ｂが取り付けられている。なお図７では位置決め突起（トレイガイド）２９ｂだけが見えている。位置決め突起（トレイガイド）２９ａ、２９ｂに、トレイ１０１の二辺を合わせ、食器（図示せず）を載せたトレイ１０１をリーダ部１２２ａ上に配置すると、トレイガイド２９ａ、２９ｂに設けたトレイ検出センサ（図示せず）により、トレイ１０１が配置されたことが検出されてリーダ部１２２ａの読取センサに対するトレイ１０１の位置が定まり、これにより、食器に付されているＲＦＩＤタグの識別がリーダ部１２２ａの読取センサにより一括して読み取られ、この時の信号がユニット本体部１２１内の図示せぬ制御回路に送られて計算処理され処理された結果がＰＯＳ端末装置３０の表示手段に表示される。
【０００７】
一方、ターミナル設置台１２３は、台部３３と設置台板とで構成されている。ターミナル設置台１２３内を通じて設置台板上に設置されたＰＯＳ端末装置３０とカウンタテーブル１２２及びユニット本体部１２１内の電源及び制御回路とが接続され、ＰＯＳ端末装置３０の表示手段には、上記制御回路により精算処理された利用明細及び金額等が表示される。
【０００８】
ＰＯＳ端末装置３０には、磁気カードリーダ４１及びＩＣカードリーダ４２が設けられており、利用者のＩＤが磁気カード又はＩＣカードから読み取られ、トレイ１０１に載せられて精算ユニット体２のカウンタテーブル１２２上にＲＦＩＤタグが埋め込まれた食器が置かれると、そのＲＦＩＤタグの着磁パターンや透磁率等から食器（図示せず）の区別を瞬時に行い、これに基づいてトレイ１０１ごとに利用者の料金が一括精算されるようにしていた。
【０００９】
【発明が解決しようとする課題】
このように従来の精算ユニット体２に設けられたトレイガイド２９ａ、２９ｂは２つに分割されかつ精算ユニット体２の配置如何でトレイガイド２９ｂの取り付け位置を変えてそれぞれ単独に取り付けていためトレイガイドの取り付けに無駄な労力を要していた。
【００１０】
またＲＦＩＤのセンサは、指向性を有しているためその指向性の十分良好なエリアにトレイを置かないと読み取りにエラーが生じたり、読み取りに時間が掛ってしまっていた。
【００１１】
本発明は、上記従来の問題点を解決するもので、精算装置の配置に従ってトレイガイドの取り付け位置を個々に決める煩雑さを無くして取り付けに無駄な労力を必要としない精算装置を提供することを目的とする。
【００１２】
【課題を解決するための手段】
上記目的を達成するために本発明は、高周波を用いた個別識別手段を有する食器と、前記食器を載せたトレイを載せるカウンタテーブルと、前記カウンタテーブルに載せられた前記食器の前記個別識別手段から識別情報を読み出すセンサと、前記センサにより読み出された信号から前記トレイ単位に一括して料金の計算処理を行う読取制御装置と、前記読取制御装置により計算された料金を表示するＰＯＳ端末装置とを備える精算装置において、前記カウンタテーブルに前記トレイの形状に合致する凹部が形成され、前記凹部が前記トレイを前記センサの読み取り範囲内に定置することを特徴とするものであり、精算装置の配置に従ってトレイガイドの取り付け位置を個々に決める煩雑さを無くして取り付けに無駄な労力を必要としないようにするとともに容易にセンサの指向性内にＲＦＩＤタグを入れることができる。
【００１３】
【発明の実施の形態】
以下、本発明の実施の形態について、図面を参照しながら説明する。
【００１４】
（第１の実施の形態）
図１は、本発明の第１の実施形態における精算装置に係るトレイガイド付きカウンタテーブルの構成を示す斜視図である。図１を用いて本発明のトレイガイド付きカウンタテーブルの構成を説明するが、それ以外の精算装置の構成は、上記従来の精算ユニット体の構成と同様であるのでここではその説明を省略する。
【００１５】
図１において本発明のカウンタテーブル１１０は、精算装置本体部（図７に示した従来のユニット本体部１２１に対応）に載置されるもので、カウンタテーブル１１０の表面には、トレイの挿入方向１１から食器が載ったトレイ（図示せず）がトレイ載置部１１５に載置された場合に、前記トレイが当接する先端から前記トレイの略半分に渡りトレイ形状の凹部が形成されて、トレイガイド１１１としての役目を果たすようにしている。さらにトレイの先端が当接する凹部先端にはトレイ検出センサ９６が装着されるようにしている。このため従来構成のトレイガイド２９ｂのように精算装置の配置に従ってトレイガイドの取り付け位置を個々に決める煩雑さを無くしトレイガイドの取り付けに無駄な労力を必要としない。
【００１６】
また、カウンタテーブル１１０のトレイ載置部１１５を台形の山形状にしかつトレイ載置部１１５とならない凹部を切り込んで傾斜部１１７を形成するようにし、食器が載ったトレイからこぼれた水分などを傾斜部１１７に沿って外部に排出し易いようにしている。このためカウンタテーブル１１０の凹部は、トレイガイド機能を有するとともに水分は誤検出の要因であるため水分排出機能も併せて有しているものである。
【００１７】
図２（ａ）は、本発明の第１の実施形態における精算装置に係るトレイガイド付きテーブルの構成を示す平面図であり、図２（ｂ）は、図２（ａ）のＡ−Ａから見た断面側面図であり、また図２（ｃ）は、図２（ａ）のＢ−Ｂから見た断面側面図である。図１に示したのと同一の内容なので再度の説明を省略するが、図２（ｂ）から、カウンタテーブル１１０に凹部が形成されているのが、同じく図２（ｃ）から、トレイ形状から除外される部分に傾斜部１１７が形成されているのがそれぞれ理解できるであろう。
【００１８】
このように本発明の第１の実施形態によれば、カウンタテーブルに設けた凹部にトレイガイド機能を有たせることにより、精算装置の配置に従ってトレイガイドの取り付け位置を個々に決める煩雑さを無くしトレイガイドの取り付けに無駄な労力を必要としないようにすることができる。また、カウンタテーブルに傾斜部を設けているので、トレイからこぼれた水分などを前記傾斜部に沿って簡単に外部に排出することができる。さらに、トレイガイド付きカウンタテーブルの形状が台形であるため、精算装置の設置方向を考慮せずに精算装置を配置することができる。
【００１９】
（第２の実施の形態）
図３は、本発明の第２の実施形態における精算装置に係るトレイガイドが付加された支柱の構成を示す斜視図である。図３においてトレイガイド１４は天板１５を支える支柱１６の両端にハの字型に取り付けられる。トレイガイド１４にはトレイ検出センサ１９が設けられ、また、支柱１６は面一のカウンタテーブル１７から突出するようにされ、さらに、カウンタテーブル１７は精算装置本体部１８に載置されるようになっている。
【００２０】
精算装置本体部１８は、ボックス状に形成されており、その内部には、食器に付されたＲＦＩＤタグを読み取る読取部（図示せず）と、読み取った食器に付されたＲＦＩＤタグのデータを元にトレイ単位に一括して料金計算等を行う読取制御装置（図示せず）が収容されている。また、前面には取手７が付いた観音開きされる前扉８が設けられ、前扉８を開けて上記読取部及び読取制御装置の保守等を行う。また精算装置本体部１８には、ストッパ付きキャスタ９が設けられており、所定位置に移動させることができるとともに固定することができる。
【００２１】
天板１５の周囲には落下防止金具１２が設けられ、天板１５に載置されるＰＯＳ端末装置（図示せず）の落下を防止する。また、天板１５には支柱１６に連通する通風口２０が設けられ、ＰＯＳ端末装置から放出される熱を通風口２０から得られる冷気を通して放散させることができる。
【００２２】
なお、通風口２０は、ケーブルを通す孔を兼ねており、また、図３では左側のトレイガイド１４に設けたトレイ検出センサ１９だけが図示されているが、右側のトレイガイド１４にもトレイ検出センサが取り付けられている。
【００２３】
このような構成の第２の実施形態の精算装置において、食器が載ったトレイ（図示せず）をトレイ形状に合わせてトレイ挿入方向２１からトレイガイド１４が付加された支柱１６に当接するように載置すると、支柱１６の両端に設置されたトレイ検出センサ１９によってトレイが検出されて精算処理が行われる。
【００２４】
このように本発明の第２の実施形態によれば、トレイガイドを支柱の両端に付加することにより、トレイガイドの取り付け位置を一意に決めることができので、トレイガイドの取り付けに無駄な労力を必要としないようにすることができる。
【００２５】
（第３の実施の形態）
図４（ａ）は、本発明の第３の実施形態における精算装置に係るトレイガイド一体型支柱の構成を示す平面図であり、図４（ｂ）は、本発明の第３の実施形態における精算装置に係るトレイガイド一体型支柱の構成を示す正面図であり、図４（ｃ）は、本発明の第３の実施形態における精算装置に係るトレイガイド一体型支柱の構成を示す右側面図である。
【００２６】
図４（ａ）乃至図４（ｃ）において、トレイガイド１４’が一体化された支柱１６’は、両端が略ハの字形状にされ食器が載ったトレイの先端に当接するようにされており、またトレイガイド１４’の下端にトレイ検出センサ１９が設けられている。また上記第２の実施形態と同様、支柱１６’は、天板１５を支える役目を持っており、天板１５には支柱１６’に連通する通風口２０が設けられ、ＰＯＳ端末装置（図示せず）から放出される熱を通風口２０から得られる冷気を通して放散させることができる。なお、通風口２０はケーブルを通す孔を兼ねている。
【００２７】
また、支柱１６’は面一のカウンタテーブル１７から突出するようにされ、さらに、カウンタテーブル１７は精算装置本体部１８に載置されるようになっている。
【００２８】
このような構成の第３の実施形態の精算装置において、食器が載ったトレイ（図示せず）をトレイ形状に合わせてトレイ挿入方向２１からトレイガイド１４’が一体化された支柱１６’に当接するように載置すると、支柱１６’の両端に設置されたトレイ検出センサ１９によってトレイが検出されて精算処理が行われる。
【００２９】
このように本発明の第３の実施形態によれば、トレイガイドを新たに設置することなく支柱と一体化することにより、トレイガイドを一意に決めることができるので、従来のようにトレイガイドの取り付けに無駄な労力を必要としないようにすることができる。
【００３０】
（第４の実施の形態）
図５（ａ）は、本発明の第４の実施形態における精算装置に係るトレイガイド一体型支柱と熱放散を可能とした精算装置本体部の構成を示す平面図であり、図５（ｂ）は、本発明の第４の実施形態における精算装置に係るトレイガイド一体型支柱と熱放散を可能とした精算装置本体部の構成を示す正面図である。さらに、図６は、本発明の第４の実施形態における精算装置に係るトレイガイド一体型支柱と熱放散を可能とした精算装置本体部の構成を示す図５（ａ）のＢ−Ｂ線から見た側面断面図である。
【００３１】
図５（ａ）及び図５（ｂ）において、トレイガイド１４’が一体化された支柱１６’は、両端が略ハの字形状にされ食器が載ったトレイの先端に当接するようにされており、またトレイガイド１４’の下端にトレイ検出センサ１９が設けられている。また上記第３の実施形態と同様、支柱１６’は、天板１５を支える役目を持っており、天板１５には支柱１６’に連通する通風口２５が設けられ、ＰＯＳ端末装置２２から放出される熱を通風口２５から得られる冷気を通して放散させることができる。なお、通風口２５はケーブルを通す孔を兼ねている。
【００３２】
また、支柱１６’は面一のカウンタテーブル１７から突出するようにされ、さらに、カウンタテーブル１７は精算装置本体部１８に載置されるようになっている。
【００３３】
精算装置本体部１８は、ボックス状に形成されており、内部には食器の裏に付されているＲＦＩＤタグを読取部２３により一括して読み取り、この時の信号が読取制御装置２４に送られて計算処理が行われ、計算処理された結果がＰＯＳ端末装置２２の表示手段に表示される。そしてＰＯＳ端末装置２２の表示手段には、読取制御装置２４により計算処理された利用明細及び金額等が表示される。
【００３４】
精算装置本体部１８には、何段かに分けられて棚が設けられており、当該棚の上に読取部２３および読取制御装置２４が載置される。
【００３５】
精算のために利用者が食器の載ったトレイ（図示せず）をトレイ形状に合わせてトレイ挿入方向２１からトレイの先端が支柱１６’に当接するように配置すると、所定の読取操作が行われて利用明細及び金額等がＰＯＳ端末装置２２に表示される。
【００３６】
図６を用いて本発明のトレイガイド一体型支柱と精算装置本体部の筐体構造とによって対流を誘導し、その結果、熱放散が可能になることについて説明する。図６において冷気２６は精算装置本体部１８の下部の通気口から案内板２７により案内されながら、一方は、読取制御装置２４が載置された棚を通過し、他方は読取部２３が載置された棚を通過し、双方の棚を通過した冷気２６は合流しながらトレイガイド一体型支柱１６’に向かい、天板１５に設けられた通風口２５から放出されていき、併せてＰＯＳ端末装置２２に対しても対流を誘導する。つまり、トレイガイド一体型支柱１６’は、精算装置本体部１８に設けた通風口と協同して煙突の役目を果たし、この煙突機能によって引き起こされる熱対流によりＰＯＳ端末装置２２、読取部２３及び読取制御装置２４から排出される熱を放散させることができる。
【００３７】
このように本発明の第４の実施形態によれば、トレイガイドを新たに設置することなく支柱と一体化することにより、トレイガイドを一意に決めることで従来のようにトレイガイドの取り付けに無駄な労力を必要としないようにすることができるとともに、トレイガイド一体型支柱と精算装置本体部の筐体構造とによって対流を誘導することで熱を放散させることが可能となる。
【００３８】
なお上記第４の実施形態ではカウンタテーブル１７として面一のテーブルについて説明したが、上記した第１の実施形態で説明したカウンタテーブルに凹部が形成され、この凹部がトレイガイドとして機能するようにされたカウンタテーブルであってもよい。
【００３９】
【発明の効果】
以上説明したように本発明によれば、精算装置の配置に従ってトレイガイドの取り付け位置を個々に決める煩雑さを無くして取り付けに無駄な労力を必要としないようにするとともに容易にセンサの指向性内にＲＦＩＤタグを入れることができるという効果を有する。
【図面の簡単な説明】
【図１】本発明の第１の実施形態における精算装置に係るトレイガイド付きカウンタテーブルの構成を示す斜視図
【図２】（ａ）本発明の第１の実施形態における精算装置に係るトレイガイド付きカウンタテーブルの構成を示す平面図
（ｂ）図２（ａ）のＡ−Ａから見た断面側面図
（ｃ）図２（ａ）のＢ−Ｂから見た断面側面図
【図３】本発明の第２の実施形態における精算装置に係るトレイガイドが付加された支柱の構成を示す斜視図
【図４】（ａ）本発明の第３の実施形態における精算装置に係るトレイガイド一体型支柱の構成を示す平面図
（ｂ）本発明の第３の実施形態における精算装置に係るトレイガイド一体型支柱の構成を示す正面図
（ｃ）本発明の第３の実施形態における精算装置に係るトレイガイド一体型支柱の構成を示す右側面図
【図５】（ａ）本発明の第４の実施形態における精算装置に係るトレイガイド一体型支柱と熱放散を可能とした精算装置本体部の構成を示す平面図
（ｂ）本発明の第４の実施形態における精算装置に係るトレイガイド一体型支柱と熱放散を可能とした精算装置本体部の構成を示す正面図
【図６】本発明の第４の実施形態における精算装置に係るトレイガイド一体型支柱と熱放散を可能とした精算装置本体部の構成を示す図５（ａ）のＢ−Ｂ線から見た側面断面図
【図７】従来例における料金精算システムの構成配置例を示す斜視図
【符号の説明】
１　ダストユニット体
２　精算ユニット体
７　取手
８　前扉
９　キャスタ
１１　トレイ挿入方向
１２　落下防止金具
１４　トレイガイド
１５　天板
１６　支柱
１７　カウンタテーブル
１８　精算装置本体部
１９　トレイ検出センサ
２０　通風口
２１　トレイ挿入方向
２２　ＰＯＳ端末装置
２３　読取部
２４　読取制御装置
２５　通風口
２６　冷気
２７　案内板
３０　ＰＯＳ端末装置
３３　台部
４１　磁気カードリーダ
４２　ＩＣカードリーダ
９６　トレイ検出センサ
１０１　トレイ
１１０　カウンタテーブル
１１１　トレイガイド
１１５　トレイ載置部
１１７　傾斜部
１２１　ユニット本体部
１２２　カウンタテーブル
１２２ａ　リーダ部
１２２ｂ　カウンタ部
１２３　ターミナル設置台
２９ｂ　トレイガイド（位置決め突起）
【図１】
2004110660.tif 000003
【図２】
2004110660.tif 000004
【図３】
2004110660.tif 000005
【図４】
2004110660.tif 000006
【図５】
2004110660.tif 000007
【図６】
2004110660.tif 000008
【図７】
2004110660.tif 000009